(57)【要約】【課題】  取付具が柱部材よりも前面側に突出することがなく、面一の下地板前面および柱部材前面に壁材等を隙間なく取り付け可能になる下地板取付具を提供すること。【解決手段】  断面略コ字状で、一側方の開口部９ａの両先端内側に小空間部９ｂが形成されるように折り返し部９ｃを設けると共にこの開口部９ａと対向する他側面部９ｄにおける前面側と後面側の両側縁に突状側縁部９ｅを形成してある柱部材９への下地板取付具１であって、他側面部９ｄを固定面部９ｈとして止着可能な固定部２と、下地板１１を止着可能な取付け部３と、固定部２が固定面部９ｈに止着された状態で、前端が前面側の突状側縁部９ｅ後縁に当接して、取付け部３と柱部材９前面との間に下地板１１の厚さに相当する取付け代ａを形成可能な調整部４を有している。【選択図】  図４
2006090023.tif 000002
【特許請求の範囲】
【請求項１】
断面略コ字状で、一側方の開口部の両先端内側に小空間部が形成されるように折り返し部を設けると共にこの開口部と対向する他側面部における前面側と後面側の両側縁に突状側縁部を形成してある柱部材への下地板取付具であって、
前記他側面部を固定面部として止着可能な固定部と、
下地板を止着可能な取付け部と、
前記固定部が固定面部に止着された状態で、前端が前面側の突状側縁部後縁に当接して、取付け部と柱部材前面との間に下地板の厚さに相当する取付け代を形成可能な調整部を有していることを特徴とする下地板取付具。
【請求項２】
断面略コ字状で、一側方の開口部の両先端内側に小空間部が形成されるように折り返し部を設けると共にこの開口部と対向する他側面部における前面側と後面側の両側縁に突状側縁部を形成してある柱部材への下地板取付具であって、
前記小空間部を係止凹部として係止可能な係止固定部と、
下地板を止着可能な取付け部と、
前記係止固定部が係止凹部に係止された状態で、取付け部と柱部材前面との間に下地板の厚さに相当する取付け代を形成可能な調整部を有していることを特徴とする下地板取付具。
【発明の詳細な説明】
【技術分野】
【０００１】
本発明は柱部材に下地板を取り付ける際に使用される下地板取付具に関する。
【背景技術】
【０００２】
特許文献1には、２つのビス孔と右上角に切欠部を持つ上片と２つのビス孔と左下角に切欠部を持つ下片を備えた右側面中央に溝と右端部の下面に傾斜部を持つ略コの字型の基板と、前記溝と反対側より下方垂直に連設され、２つの溝を持つ左垂下片と、前記左垂下片より外方垂直且つ前記基板と並行に連設され、２つのビス孔を持つ左片とからなるパネル取付具が記載されている。
ところで、かかるパネル取付具では、基板を柱部材前面にビス止めし、基板と左片の間の溝にパネルを挟設する態様であるから、柱部材に対して下地板は前面が面一に取り付けられることになるものの、その一方で、基板が前面に露出して厚さ分突出することを避けられない。
それにともない柱部材に壁材等を取り付けるのに、突出状の基板が妨げになることで、密接状に取り付けられない。そして、壁材と下地板との間に基板厚さ相当の隙間ができてしまうことにより、壁材を経て下地板にエアコン等の重量物を取り付ける際にも取付け強度が低下しないように配慮しなければならない場合がある。
【特許文献１】特開２００４−１２４４４７
【発明の開示】
【発明が解決しようとする課題】
【０００３】
解決しようとする課題は、第１には、取付具が柱部材よりも前面側に突出することがなく、面一の下地板前面および柱部材前面に壁材等を隙間なく取り付け可能になる下地板取付具を、第２には、柱部材への取付けがビス等の固定具を用いずにすませられ、そして、取付具が柱部材よりも前面側に突出することがなく、面一の下地板前面および柱部材前面に壁材等を隙間なく取り付け可能になる下地板取付具を提供することにある。
【課題を解決するための手段】
【０００４】
本発明は前記した第１の課題を達成するため、以下の構成にしたことを特徴とする。
断面略コ字状で、一側方の開口部の両先端内側に小空間部が形成されるように折り返し部を設けると共にこの開口部と対向する他側面部における前面側と後面側の両側縁に突状側縁部を形成してある柱部材への下地板取付具であって、前記他側面部を固定面部として止着可能な固定部と、下地板を止着可能な取付け部と、前記固定部が固定面部に止着された状態で、前端が前面側の突状側縁部後縁に当接して、取付け部と柱部材前面との間に下地板の厚さに相当する取付け代を形成可能な調整部を有していることを特徴とする。
【０００５】
そして、本発明は前記した第２の課題を達成するため、以下の構成にしたことを特徴とする。
断面略コ字状で、一側方の開口部の両先端内側に小空間部が形成されるように折り返し部を設けると共にこの開口部と対向する他側面部における前面側と後面側の両側縁に突状側縁部を形成してある柱部材への下地板取付具であって、前記小空間部を係止凹部として係止可能な係止固定部と、下地板を止着可能な取付け部と、前記係止固定部が係止凹部に係止された状態で、取付け部と柱部材前面との間に下地板の厚さに相当する取付け代を形成可能な調整部を有していることを特徴とする。
【０００６】
本発明における取付具は、ピース状あるいは長尺状のものであり、金属板を曲げ加工して成形したプレス成形品であってもよいし、射出成形品でもよい。材質は、金属、プラスチック、セラミックが挙げられるが、これらに限定されない。係止固定部は係止凹部に係止可能であればよく、弾性的な係止関係にしてあるものであってもよい。また、着脱可能な係止関係でもよい。
【発明の効果】
【０００７】
Ａ．請求項１により、取付具が柱部材よりも前面側に突出することがないので、面一の下地板前面および柱部材前面に壁材等を隙間なく取り付けられることになり、下地板にエアコン等の重量物を取り付ける際にも隙間による取付け強度の低下を心配せずに施工可能である。
Ｂ．請求項２により、柱部材への取付けがビス等の固定具を用いずにすませられると共に、取付具が柱部材よりも前面側に突出することがないので、面一の下地板前面および柱部材前面に壁材等を隙間なく取り付けられることになり、下地板にエアコン等の重量物を取り付ける際にも隙間による取付け強度の低下を心配せずに施工可能である。
【発明を実施するための最良の形態】
【０００８】
図１には本発明の下地板取付具が取り付けられる柱部材を例示しており、この柱部材９は、横断面略コ字状の金属製のもので、一側方の開口部９ａの両先端を内側に略半円弧状に折り返して、当該先端内側に横断面略半円状の小空間部９ｂが形成されるように折り返し部９ｃを設けると共に、この開口部９ａと対向する他側面部９ｄにおける前面側と後面側の両側縁に突状側縁部９ｅを形成してある。そして、前面部９ｆと後面部９ｇは平行状を呈している。
かかる柱部材９は、他側面部９ｄを固定面部９ｈとし、この固定面部９ｈに取付金具１における固定部２をビス等の固定具１０で止着可能に形成してある。
また、小空間部９ｂを係止凹部９ｉとし、この係止凹部９ｉに取付具５における係止固定部６を係止可能に形成してある。
【０００９】
図２には請求項１発明の下地板取付具における実施の１形態を例示しており、取付金具１は、固定面部９ｈに止着可能な固定部２と、下地板１１を止着可能な取付け部３と、固定部２が固定面部９ｈに止着された状態で、前端が前面側の突状側縁部９ｅ後縁に当接して、取付け部３と柱部材９の前面部９ｆとの間に下地板１１の厚さｄに相当する取付け代ａを形成可能な調整部４を有している。そして、これらの固定部２と取付け部３と調整部４は、一枚の金属板を曲げ加工してプレスすることで成形してある。
固定部２は、固定具１０が通る孔２ａを設けてある。この固定部２と調整部４を経て連続形成している取付け部３は、調整部４の後端から直角に折り曲げて延設してあり、固定具１０が通る孔３ａを設けてある。調整部４は、固定部２の前端を前側に延長した後に後側に折り返して形成してあり、この調整部４の前後方向の延長幅ｂを、下地板１１の厚さｄから突状側縁部９ｅの前後幅ｃを引き算した値にしてある。すなわち、調整部４の延長幅ｂと突状側縁部９ｅの前後幅ｃを加算した値が下地板１１の厚さｄに相当する取付け代ａになるようにしてある。
【００１０】
図３には請求項２発明の下地板取付具における実施の１形態を例示しており、取付金具５は、係止凹部９ｉに係止可能な係止固定部６と、下地板１１を止着可能な取付け部７と、係止固定部６が係止凹部９ｉに係止された状態で、取付け部７と柱部材９の前面部９ｆとの間に下地板１１の厚さｄに相当する取付け代ａを形成可能な調整部８を有している。そして、これらの係止固定部６と取付け部７と調整部８は、一枚の金属板を曲げ加工してプレスすることで成形してある。
係止固定部６は、係止凹部９ｉに弾性的に係止可能な横断面略半円弧状に形成してある。この係止固定部６と調整部８を経て連続形成している取付け部７は、調整部８の後端から直角に折り曲げて延設してあり、固定具１０が通る孔７ａを設けてある。調整部８は、係止固定部６の後端を後側に延長して形成してあり、この調整部８の前後方向の延長幅ｂを、下地板１１の厚さｄから突状側縁部９ｅの前後幅ｃを引き算した値にしてある。すなわち、調整部８の延長幅ｂと突状側縁部９ｅの前後幅ｃを加算した値が下地板１１の厚さｄに相当する取付け代ａになるようにしてある。
【００１１】
図４には前記した図２の取付金具１を用いて図１の柱部材９に下地板１１を取り付けた下地構造を例示している。
隣り合う柱部材９における対向状の他側面部９ｄすなわち固定面部９ｈにはそれぞれ取付金具１の固定部２を調整部４前端が突状側縁部９ｅ後縁に当接して位置決めされた状態に固定具１０で止着し、取付け部３と柱部材９の前面部９ｆとの間に下地板１１の厚さｄに相当する取付け代ａを形成してある。
この隣り合う取付け部３前面には下地板１１両端を添接して後側から固定具１０で止着して架設状に取り付けることにより、柱部材９前面と下地板１１前面が面一に連続し、しかも、これらの柱部材９および下地板１１の前面側に取付金具１が突出していない下地構造になる。また、下地板１１が柱部材９に、当該柱部材９に止着固定された取付金具１を経て取り付けられているところの堅牢且つ強固な下地構造になる。
【００１２】
図５には前記した図３の取付金具５を用いて図１の柱部材９に下地板１１を取り付けた下地構造を例示している。
隣り合う柱部材９における対向状の前面側の係止凹部９ｉにはそれぞれ取付金具５の係止固定部６を弾性的に係止し、取付け部７と柱部材９の前面部９ｆとの間に下地板１１の厚さｄに相当する取付け代ａを形成してある。
この隣り合う取付け部７前面には下地板１１両端を添接して後側から固定具１０で止着して架設状に取り付けることにより、柱部材９前面と下地板１１前面が面一に連続し、しかも、これらの柱部材９および下地板１１の前面側に取付金具５が突出していない下地構造になる。また、下地板１１が柱部材９に、当該柱部材９に係止された取付金具５を経て取り付けられているところの組み付け施工が簡便である下地構造になる。
【００１３】
図６には前記した図２の取付金具１と図３の取付金具５を用いて図１の柱部材９に下地板１１を取り付けた下地構造を例示している。
隣り合う一方の柱部材９における他側面部９ｄには取付金具１の固定部２を調整部４前端が突状側縁部９ｅ後縁に当接して位置決めされた状態に固定具１０で止着し、取付け部３と柱部材９の前面部９ｆとの間に下地板１１の厚さｄに相当する取付け代ａを形成してある。
この一方の柱部材９の他側面部９ｄと対向している他方の柱部材９における前面側の係止凹部９ｉには取付金具５の係止固定部６を弾性的に係止し、取付け部７と柱部材９の前面部９ｆとの間に下地板１１の厚さｄに相当する取付け代ａを形成してある。
そして、隣り合う取付け部３前面および取付け部７前面には下地板１１両端を添接して後側から固定具１０でそれぞれ止着して架設状に取り付けることにより、柱部材９前面と下地板１１前面が面一に連続し、しかも、これらの柱部材９および下地板１１の前面側に取付金具１および取付金具５が突出していない下地構造になる。また、下地板１１が柱部材９に、当該柱部材９に止着固定された取付金具１を経て取り付けられている強固で且つ組み付け施工が容易に簡略化されているところの下地構造になる。
【図面の簡単な説明】
【００１４】
【図１】本発明の下地板取付具が取り付けられる柱部材を例示している斜視図。
【図２】本発明の下地板取付具における実施の１形態を例示している斜視図。
【図３】本発明の下地板取付具における実施の他の１形態を例示している斜視図。
【図４】本発明の図２の取付金具を用いて柱部材に下地板を取り付けた下地構造を例示している横断面図。
【図５】本発明の図３の取付金具を用いて柱部材に下地板を取り付けた下地構造を例示している横断面図。
【図６】本発明の図２の取付金具と図３の取付金具を用いて柱部材に下地板を取り付けた下地構造を例示している横断面図。
【符号の説明】
【００１５】
１  取付金具（取付具）
２  固定部
２ａ、３ａ  孔
３  取付け部
４  調整部
５  取付金具
６  係止固定部
７  取付け部
７ａ  孔
８  調整部
９  柱部材
９ａ  開口部
９ｂ  小空間部
９ｃ  折り返し部
９ｄ  他側面部
９ｅ  突状側縁部
９ｆ  前面部
９ｇ  後面部
９ｈ  固定面部
９ｉ  係止凹部
１０  固定具
１１  下地板
ａ  取付け代
ｂ  延長幅
ｃ  突状側縁部の前後幅
ｄ  下地板の厚さ
【図１】
2006090023.tif 000003
【図２】
2006090023.tif 000004
【図３】
2006090023.tif 000005
【図４】
2006090023.tif 000006
【図５】
2006090023.tif 000007
【図６】
2006090023.tif 000008